(57)【要約】【課題】長期間保管しておいても色移りや退色が生じることがなく安定した品質を維持することができるガス濃度測定器を提供する。【解決手段】オゾンガスに反応すると変色する色素によって形成された曝露部６を含むガス検知素子２と、オゾンガスの濃度に対応した色を示すカラーチャート８が表示された台紙３と、この台紙３にガス検知素子２を固定する固定手段５とによってシート状のオゾンガス濃度測定器１を形成する。固定手段５としては、プラスチック製の止め具を用いる。【選択図】図１
2008058058.tif 000002
【特許請求の範囲】
【請求項１】
特定のガスの濃度に対応した色を示すカラーチャートが表示された台紙と、前記特定のガスに反応して変色する曝露部を有するガス検知素子と、このガス検知素子を前記台紙に前記カラーチャートに近接して着脱可能に固定する固定手段とを備え、
前記固定手段を、非接着性、非粘着性および非吸水性を有する材料で構成したことを特徴とするガス濃度測定器。
【請求項２】
請求項１記載のガス濃度測定器において、
前記固定手段を可撓性を有するプラスチック製の止め具で構成したことを特徴とするガス濃度測定器。
【請求項３】
請求項１記載のガス濃度測定器において、
前記固定手段を台紙に形成された固定用切り込みで構成したことを特徴とするガス濃度測定器。
【請求項４】
請求項１記載のガス濃度測定器において、
前記固定手段を台紙に設けられ前記ガス検知素子を収納する袋状部分で構成し、この袋状部分にガス検知素子の曝露部を外部に露呈させる窓を設けたことを特徴とするガス濃度測定器。
【請求項５】
請求項１〜４のうちのいずれか１つに記載のガス濃度測定器において、
前記台紙の少なくともカラーチャートが表示されている面を撥水材料によってコートしたことを特徴とするガス濃度測定器。
【請求項６】
請求項１〜４のうちのいずれか１つに記載のガス濃度測定器において、
前記台紙とガス検知素子との間に撥水材料を介在させたことを特徴とするガス濃度測定器。
【請求項７】
請求項１〜６のうちのいずれか１つに記載のガス濃度測定器において、
前記ガス検知器の曝露部をオゾンガスに反応して変色するインジゴ環を有する色素で構成したことを特徴とするガス濃度測定器。
【発明の詳細な説明】
【技術分野】
【０００１】
本発明は、空気中に含まれているオゾンガス、二酸化窒素ガス等の特定の種類のガスの濃度を測定するために用いられるガス濃度測定器に関するものである。
【背景技術】
【０００２】
現在、ＮＯｘ、ＳＰＭ、光化学オキシダントによる大気汚染が生じ、環境に対する影響が問題となってきている。光化学オキシダントの主成分であるオゾンガス（Ｏ3 ）は、工場や事業所や自動車から排出されるＮＯｘや炭化水素などの汚染物質が太陽光線の照射を受けて光化学反応により生成されるため、光化学スモッグの原因となっている。また、コロナ放電手段を備えた各種機器、例えば静電式複写機、レーザープリンタ、ＬＥＤファクシミリ等においても、コロナ放電手段の動作中にオゾンガスが発生する。このようなオゾンガスは、強力な酸化能を有しているためそれ自身の毒性により、空気中の濃度が一定以上（０．１ｐｐｍ）になると、呼吸器系を刺激し、微量でも長時間吸入すると有害とされている。
【０００３】
このため、オゾンガスの濃度分布の調査や、地域環境への影響評価、個人のオゾンガス被爆の影響評価等を行い、環境を監視する必要がある。このために、安価で小型軽量かつ個人や家庭レベルで使用することができるオゾンガス濃度測定器が各種開発されている（例えば、引用文献１〜４参照）。
【０００４】
このような、オゾンガス濃度測定器の一例としては、オゾンガスの濃度に対応した色（色見本）を示すカラーチャートが表示された台紙に、オゾンガスに曝露されると変色する曝露部を有するガス検知素子を付着した測定器が提案されている。ガス検知素子は、通常セルロースからなるシート状担体に、オゾンガスに反応すると変色する色素、保湿剤、酸、水等を加えて調整した検知溶液を含浸させて曝露部とし、風乾することにより作製される。カラーチャートは、オゾンガスの濃度に対応した色をグラデーションによって連続的に示すかまたは濃度に対応した色によって段階的に示している。オゾンガスに反応すると変色する色素としては、インジゴ色素、アゾ色素、トリフェニルメタン色素、アントラキン色素等が用いられる。
【０００５】
オゾンガスの測定に際しては、オゾンガス濃度測定器を測定環境下に一定時間曝すと、ガス検知素子の曝露部が空気中に含まれているオゾンガスによって曝露されることにより変色（退色または発色）する。この変色は、オゾンガスの濃度と測定時間とによって決まる。すなわち、オゾンガスの濃度が濃い場合は、短時間でも著しく変化し、濃度が薄い場合は変化するのに長時間を要する。そして、この変色した色とカラーチャートに示されている色とを見比べ、オゾン濃度の目盛を読み取ることにより、オゾンガスの濃度が測定される。
【０００６】
【特許文献１】特開２００４−１４４７２９号公報
【特許文献２】ＷＯ２００６／０１６６２３（PCT/JP2005/014689）号公報
【特許文献３】特開平０９−２７４０３２号公報
【特許文献４】特開２０００−０８１４２６号公報
【発明の開示】
【発明が解決しようとする課題】
【０００７】
ガス検知素子を台紙に固定する方法としては、両面粘着テープや、接着剤を用いることが考えられる。しかしながら、両面粘着テープや接着剤は、長期間保管しておくと、それらに含まれている溶媒が移動、揮発して色素に退色が起こったり色移りが生じ、検出感度が低下するという問題があった。
特に保湿剤を含有するガス検知素子にあっては、セルロースからなる台紙上にガス検知素子を直接固定して保存すると、色移り、すなわち保湿剤に取り込まれている水分のために色素の色が台紙のカラーチャートに移り、カラーチャートを変色させる。このため、カラーチャート自体がオゾンガス濃度を決定する指標として機能しなくなり、測定誤差が生じる。
【０００８】
このため、セルロース製の台紙の代わりにプラスチックシートを用い、その表面にカラーチャートを印刷することも考えられるが、その場合は、ガス検知素子とプラスチックシートの材質が異なるため、ガス検知素子をカラーチャートの一側に配置した場合、ガス検知素子とプラスチックシートの表面微細構造が異なり、色調が異なって見えるため色の比較判別が難しくなるという問題が生じる。このため、カラーチャートの材質としては、ガス検知素子のシート状担体と同じ材質のセルロースを用いることが望ましい。
【０００９】
本発明は上記した従来の問題を解決するためになされたものであり、その目的とするところは、長期間保管しておいても色移りや退色が生じることがなく安定した品質を維持することができるガス濃度測定器を提供することにある。
【課題を解決するための手段】
【００１０】
上記目的を達成するために本発明は、特定のガスの濃度に対応した色を示すカラーチャートが表示された台紙と、前記特定のガスに反応して変色する曝露部を有するガス検知素子と、このガス検知素子を前記台紙に前記カラーチャートに近接して着脱可能に固定する固定手段とを備え、前記固定手段として、非接着性、非粘着性および非吸水性を有する固定手段を用いたものである。
【００１１】
また、本発明は、前記固定手段を可撓性を有するプラスチック製の留め具で構成したものである。
【００１２】
また、本発明は、前記係止手段を台紙に形成された固定用切り込みで構成したものである。
【００１３】
また、本発明は、前記係止手段を台紙に設けられ前記ガス検知素子を収納する袋状部分で構成し、この袋状部分にガス検知素子の曝露部を外部に露呈させる窓を設けたものである。
【００１４】
また、本発明は、前記台紙の少なくともカラーチャートが表示されている面を撥水材料によってコートしたものである。
【００１５】
また、本発明は、前記台紙とガス検知素子との間に撥水材料を介在させたものである。
【００１６】
さらに、本発明は、前記ガス検知器の曝露部をオゾンガスに反応して変色するインジゴ環を有する色素で構成したものである。
【発明の効果】
【００１７】
非接着性、非粘着性および非吸水性を有する固定手段を用いた発明においては、ガス検知素子のシート状担体や台紙の材質がセルロール濾紙であっても、固定手段によって色素が退色したり色素がカラーチャートに色移りしたりすることがなく、安定した品質を長期間にわたって維持することができ、特定のガスの曝露量を高精度に測定することができる。
【００１８】
台紙に形成した固定用切り込みを固定手段として用いた発明においては、台紙自体が固定手段を兼用しているため、別部材からなる固定手段を用いる必要がなく、簡易で安価な測定器を提供することができる。
【００１９】
台紙とガス検知素子との間に撥水材料を介在させた発明においては、ガス検知素子を台紙に直接固定しても、色素がカラーチャートに色移りするおそれがない。撥水材料としては、プラスチックが用いられる。
【００２０】
台紙に形成した袋状部分にガス検知素子を収納するようにした発明においては、台紙自体がガス検知素子の固定手段を兼用するので、別部材からなる固定手段を用いる必要がなく、簡易で安価な測定器を提供することができる。
【００２１】
台紙の少なくともカラーチャートが表示されている面に撥水材料をコートした発明においては、台紙がセルロース濾紙であっても色素がカラーチャートに色移りすることがない。撥水材料としては、プラスチックが用いられる。
【発明を実施するための最良の形態】
【００２２】
以下、本発明を図面に示す実施の形態に基づいて説明する。
図１（ａ）、（ｂ）は本発明をオゾンガス濃度測定器に適用した第１の実施の形態を示す斜視図および留め具の正面図である。同図において、全体を参照符号１で示すオゾンガス濃度測定器は、ガス検知素子２と台紙３とからなるガス濃度測定用シート４と、前記ガス検知素子２を前記台紙３に固定する固定手段５とを備え、５０×７０ｍｍ程度の大きさで、厚さが１〜２ｍｍ程度のカード状に形成されている。
【００２３】
ガス検知素子２としては、セルロースからなるシート状担体７にオゾンガスに曝露されると変色（退色または発色）する曝露部６を形成したものが用いられる。曝露部６は、シート状担体７にイオンガスに反応して変色する、例えばインジゴ環を含む色素と、保湿剤と、酸もしくは酸性領域に緩衝作用がある緩衝溶液を担持させることにより形成することができる。
【００２４】
このようなガス検知素子２によれば、大気中に含まれている低い濃度（ｐｐｂオーダー）のオゾンガスを、インジゴ環を有する色素のオゾンガスによる分解に対応した退色反応またはインジゴ環を有する色素がオゾンガスによる分解の結果生じた分解生成物を原因とする発色反応として検知することができる。
【００２５】
インジゴ環を有する色素としては、例えばインジゴ、インジゴカルミンナトリウム塩、インジコカルミンカリウム塩、インジゴレッドなどが好適に用いられる。保湿剤としては、グリセリン、エチレングリコール、プロピレングリコールなどが好適に用いられる。酸としては、酢酸、リン酸、酒石酸、クエン酸などが好適に用いられる。緩衝溶液としては、ｐＨが１〜４、好ましくは２〜３、さらに好ましくは３〜４の範囲で緩衝作用がある緩衝溶液、例えば酢酸と酢酸ナトリウム、もしくはリン酸とリン酸二水素ナトリウム、もしくは酒石酸と酒石酸ナトリウムからなる緩衝溶液が用いられる。
【００２６】
ガス検知素子２の具体的な作製に際しては、容器内に例えば、０．０６ｇのインジゴカルミンと、酸としての３．０ｇの酢酸と、保湿剤としての１５ｇのグリセリンとを入れ、これらに水を所定量加えることにより、インジゴカルミンを溶解させて調整し、５０ｇの検知溶液を作製する。
【００２７】
次に、この検知溶液中にセルロース濾紙（例えば、アドバンティック社製の濾紙Ｎｏ．２）を１秒間浸漬して取り出した後、セルロース濾紙中に含まれている水分を風乾によって蒸発させる。これにより、藍色のガス検知素子２ができあがる。そして、このガス検知素子２を台紙３上に固定する。なお、ガス検知素子２は、１０×６０ｍｍ程度の短冊状に形成されている。
【００２８】
このようにして作製したガス検知素子２について、微量のオゾンガスを含む被検ガス中に一定時間曝し（例えば、８時間）、変色を肉眼で観察した。被検ガス中のオゾンガスは、ガス検知素子２のグリセリンが保持している水分に取り込まれ、その後、インジゴ環を有する色素のＣ＝Ｃ２重結合を分解する反応を引き起こす。色素分子の構造と電子状態が変化して可視光領域の６００ｎｍ付近の光吸収が変化し、ガス検知素子２の色（藍色）は薄くなる（退色）。
【００２９】
一方、インジゴ色素の分解によって生じた分解生成物は可視光領域の波長４００ｎｍ付近に光吸収を持つため、ガス検知素子は黄色に変色し始める（発色反応）。このように、ガス検知素子２の曝露部６がオゾンガスによって曝露されると、色素の退色反応と発色反応とが同時に起きるため、オゾン濃度がｐｐｂオーダーであっても肉眼で容易に変色が  認識できる。
【００３０】
台紙３は、ガス検知素子２のシート状担体７と同一の材質からなり、表面に特定のガスであるオゾンガスの濃度に対応した色を示すカラーチャート８と、オゾンガスの濃度を表示する０ｐｐｂ×ｈ、４００ｐｐｂ×ｈ、８００ｐｐｂ×ｈの目盛８を印刷し、かつ表裏面全体をプラスチックコートすることにより製作されている。カラーチャート８は、オゾンガスの濃度変化をグラデーションの形で連続的に表示している。また、カラーチャート８の色は、０ｐｐｂ付近において測定前のガス検知素子２の色と同じ藍色を呈しており、濃度が高くなるにしたがって徐々に退色するように表示している。なお、台紙３のプラスチックコートは、好ましくは表裏面全体であるが、これに限らず少なくともカラーチャート８が表示されている面のみであってもよい。
【００３１】
台紙３に対するガス検知素子２の固定手段５としては、非接着性および非粘着性を有するものであって、吸湿したり錆びたりしない材質からなる固定手段を用いることが望ましい。接着剤や両面粘着テープや金属製のステープル（針）、鳩目等を用いることも考えられるが、これらは長期間保管していると、触媒の移動、揮発、金属の錆によってガス検知素子２やカラーチャート８に影響を及ぼすおそれがあるため好ましくない。
【００３２】
本実施の形態においては、固定手段５としてプラスチック製の細い線材によって形成した弾性変形自在な止め具を用い、ガス検知素子２を台紙３にカラーチャート８の一側に沿って固定した例を示している。この固定手段としての止め具５は、図１（ｂ）に示すように、コ字状に折り曲げられた本体部５ａと、本体部５の両端に外側に向かって折り曲げ形成された左右一対の脚部５ｂとで構成され、ガス検知素子２と台紙３に設けた小孔に差し込まれることにより、ガス検知素子２を台紙３に対して固定する。本体部５ａの高さＨは、ガス検知素子２の厚さと略等しく設定されている。各脚部５ｂは、本体部５ａ側に小角度傾斜している。この傾斜角度αは、ガス検知体２を固定する上で台紙３に有用である。すなわち、ガス検知体２および台紙３に設けた小孔に脚部５ｂを挿通して本体部５ａをガス検知素子２の表面に接触させ、各脚部５ｂを台紙３の裏面側に接触させたとき、角度αだけ傾斜していると、弾性変形してその復元力により台紙３の裏面に圧接されるため、ガス検知素子２が台紙３に対して動いたり、止め具５がオゾンガス濃度測定器１から外れるのを防止することができ、安定かつ確実な固定が得られる。止め具５によるガス検知素子２の固定箇所は、両端の２カ所に限らず、両端と中央の３カ所であってもよい。止め具５としては、目立たないようにするために透明なものであることが好ましい。
【００３３】
このようなオゾンガス濃度測定器１は、オゾンガスが存在する環境下に一定時間（例えば、８時間）設置されて使用されるか、または測定者が携帯した状態で使用される。測定者が携帯使用する場合は、例えば紐でオゾンガス濃度測定器１を首や腰に吊して使用する。オゾンガスが存在していると、ガス検知素子２の曝露部６がオゾンガスによって曝露されて変色する。この変色した色とカラーチャート８の色とを見比べることにより、オゾンガスの曝露量を測定することができる。すなわち、曝露部６の色がカラーチャート８の４００ｐｐｂ×ｈ付近の色と略等しければ、オゾン濃度４００ｐｐｂ×ｈと判定し、４００ｐｐｂ×ｈと８００ｐｐｂ×ｈの中間の色と略等しければ、オゾン濃度６００ｐｐｂ×ｈと判定する。なお、オゾン濃度を測定した後、止め具５を抜き取って台紙３からガス検知素子２を取外し、新しいガス検知素子２と交換することにより、台紙３は再利用することができる。
【００３４】
図２は、本発明をオゾンガス濃度測定器に適用した第２の実施の形態を示す斜視図である。同図において、オゾンガス濃度測定器１０は、台紙３Ａがセルロール濾紙で、その表裏面をプラスチックコートしていない点、ガス検知素子２と台紙３Ａとの間に撥水材料としてのプラスチック板１２を介在させた点、および台紙３Ａのカラーチャート１１を３つに色区分し、それぞれオゾン濃度が０ｐｐｂ×ｈ、４００ｐｐｂ×ｈおよび８００ｐｐｂ×ｈにおける色見本１１ａ〜１１ｃとした点が、上記した第１の実施の形態におけるオゾンガス濃度測定器１と異なり、その他の構成は全く同一である。
【００３５】
このようなオゾンガス濃度測定器１０においても、ガス検知素子２の色とカラーチャート１１の色見本１１ａ〜１１ｃとを見比べることにより、上記した第１の実施の形態のオゾンガス濃度測定器１と同様に微量のオゾンガスを測定することができる。
【００３６】
また、ガス検知素子２と表裏面がプラスチックコートされていない台紙３Ａとの間にプラスチック板１２を介在させているので、台紙３Ａに含まれている水分によってガス検知素子２の曝露部６の色が退色したり、あるいはカラーチャート１１に色移りするようなことがなく、長期間にわたって安定した品質を維持することができる。
【００３７】
図３は、本発明をオゾンガス濃度測定器に適用した第３の実施の形態を示す斜視図である。本実施の形態は、ガス検知素子２を台紙３の表面に固定する固定手段として台紙３に形成した固定用切り込み２１を用いた点、および台紙３の表裏面全体をプラスチックコートした点が図２に示した第２の実施の形態と異なり、その他の構成は同一である。このため、ガス検知素子２と台紙３との間には図２に示したプラスチック板１２が介在されていない。
【００３８】
ガス検知素子２を台紙３に固定する固定用切り込み２１は、カラーチャート１１の一側の両端にそれぞれ形成されている。ガス検知素子２は、両端部が台紙３の表面側から固定用切り込み２１に差し込まれ裏面側に導かれている。
【００３９】
このようなオゾンガス濃度測定器２０においては、ガス検知素子２の端部を台紙３の固定用切り込み２１に対して着脱自在に固定しているので、止め具による固定に比べてガス検知素子２の交換作業が容易である。
また、測定時にガス検知素子２を台紙３に対して簡単かつ容易に固定することができるため、保管時にはガス検知素子２を台紙３に固定しておく必要がなく、曝露部６の退色やカラーチャート１１への色移りを防止することができる。
【００４０】
図４は、本発明をオゾンガス濃度測定器に適用した第４の実施の形態を示す斜視図である。同図において、オゾンガス濃度測定器３０は、略方形のセルロース濾紙３１にオゾンガスに反応すると変色する色素を含ませて曝露部６を形成したガス検知素子３３と、表面にオゾンガスの濃度に対応した色を示すカラーチャート１１が表示された台紙３４と、この台紙３４と前記ガス検知素子３３とを固定する固定手段としての止め具５とで構成されている。
【００４１】
台紙３４は、ガス検知素子３３と同一の大きさで、中央には矩形の窓３５が形成されており、この窓３５の周囲に０ｐｐｂ×ｈ、４００ｐｐｂ×ｈおよび８００ｐｐｂ×ｈのオゾン濃度に対応した３つの色見本１１ａ〜１１ｃからなるカラーチャート１１が印刷されている。そして、台紙３４は、表裏面全体がプラスチックコートされており、ガス検知素子３３の上に重ね合わされて止め具５により縫付けられることにより、曝露部６を窓３５から表面側に露呈させている。
【００４２】
このようなオゾンガス濃度測定器３０においては、ガス検知素子３３の曝露部６の周囲をカラーチャート１１によって取り囲んでいるので、図１〜図３に示したカーラーチャート８または１１の一側にガス検知素子２を配置したオゾン濃度測定器１，１０，２０に比べて、カラーチャート１１の色見本の位置に惑わされずに比色が容易にかつ確実に行えるという利点がある。
【００４３】
図５は、本発明をオゾンガス濃度測定器に適用した第５の実施の形態を示す正面図である。このオゾンガス濃度測定器４０は、前述した第４の実施の形態の変形例を示すもので、円形のセルロース濾紙にオゾンガスに反応すると変色する色素を含ませて曝露部６を形成したガス検知素子４１と、表面中央にオゾンガスの濃度に対応した色を示すリング状のカラーチャート４２が表示された台紙４３と、この台紙４３と前記ガス検知素子４１を縫付ける固定手段としての止め具５とで構成されている。
【００４４】
台紙４３のカラーチャート４２は、０ｐｐｂ×ｈ、４００ｐｐｂ×ｈおよび８００ｐｐｂ×ｈのオゾン濃度に対応した３つの色見本が周方向に等間隔で印刷されており、その内側にガス検知素子４１が縫付けられている。このため、ガス検知素子４１の周囲をカラーチャート４２が取り囲んでいる。ガス検知素子４１の直径は、カラーチャート４２の内径と略等しい。なお、台紙４３は、表裏面全体がプラスチックコートされている。
【００４５】
図６は、本発明をオゾンガス濃度測定器に適用した第６の実施の形態を示す正面図である。このオゾンガス濃度測定器５０は、ガス検知素子５１と、このガス検知素子５１を収納する台紙５２とで構成されている。
【００４６】
ガス検知素子５１は、矩形のセルロース濾紙５３にオゾンガスに反応すると変色する色素を含浸させて曝露部６を形成したものが用いられる。曝露部６は円形（または四角形）に形成されている。
【００４７】
台紙５２は、一端が開放し、表面に円形の窓５５を有する封筒状（袋状）に形成されており、袋状部分がガス検知素子５１を収納することによりガス検知素子５１の固定手段を構成している。台紙５２の表面で窓５５の周囲には、オゾンガスの濃度に対応した色を示す帯状のカラーチャート５６が印刷表示されている。カラーチャート５６は、低、中、高のオゾン濃度に対応した３つの色見本で構成されている。窓５５は、ガス検知素子５１の曝露部６より小さい大きさに形成されている。なお、台紙５２は、表裏面全体がプラスチックコートされている。
【００４８】
このような台紙５２の開放部５７から台紙内にガス検知素子５１を収納すると、ガス検知素子５１の曝露部６は窓５５から台紙５２の外部に露呈し、オゾンガスの曝露によって変色される。
【００４９】
図７は、本発明をオゾンガス濃度測定器に適用した第７の実施の形態を示す組立前の図、図８は同測定器の組立後の背面図である。
このオゾンガス濃度測定器６０は、図６に示した第６の実施の形態の変形例を示すもので、２０×２０ｍｍ程度の大きさのガス検知素子６１と、このガス検知素子６１を収納するポケット（袋状部分）６５を備えた台紙６２とで構成されている。
【００５０】
台紙６２は、大小２枚のシート６３，６４とで構成され、大きいシート６３が台紙本体を形成し、小さいシート６４がポケット形成部材を形成している。
【００５１】
台紙本体６３は、厚みが２ｍｍで９１×５５ｍｍ程度の大きさのプラスチックシートからなり、所望の位置に直径２０ｍｍ程度の大きさの窓６６が形成され、またシート表面で前記窓６６の周囲には、低、中、高のオゾン濃度に対応した３つの色見本からなるカラーチャート１１が印刷されている。
【００５２】
ポケット形成部材６４は、同じく厚みが２ｍｍで３０×３０ｍｍ程度の大きさのプラスチックシートからなり、その４辺のうち３辺、例えば左右両辺部と下辺部が幅５ｍｍ程度の糊代部６７とされ、前記台紙本体６３の裏面に前記窓６６を覆うように接着されることにより、台紙本体６３とともに上方に開放するポケット６５を形成している。このポケット６５は、ガス検知素子６１を収納固定する固定手段を構成している。
【００５３】
前記ガス検知素子６１は、オゾンガス濃度測定器６０の使用時に上方からポケット６５内に収納されることにより窓６６から台紙本体６３の前面側に露呈される。
【００５４】
このように、台紙素材としてセルロース濾紙の代わりにプラスチックシートからなる台紙本体６３を用いると、セルロース濾紙に比べて長期間保管していてもガス検知素子６１やカラーチャート１１に退色や色移りが生じるようなことがなく、安定した品質を維持することができる。
【００５５】
また、台紙本体６３がプラスチックシートであっても、窓６６の周囲にカラーチャート１１を表示しているので、色見本の位置に迷わされずに比色を容易かつ正確に行うことができる。ただし、台紙本体６３とポケット形成部材６４は、プラスチックシートに限らずセルロース濾紙、好ましくは表裏面がプラスチックコートされているセルロース濾紙によって形成されているものであってもよい。また、ポケット形成部材６４は、台紙本体６３の裏面側に限らず、前面側に設けられるものであってもよい。その場合は、ポケット形成部材６４に窓とカラーチャートを形成すればよい。
【実施例】
【００５６】
［実施例１］
インジゴカルミン０．０５ｇ、グリセリン１５ｇ、酢酸３ｇに水を加えて５０ｇの検知溶液とし、その中に濾紙（アドバンティック社製Ｎｏ．２）を所定時間浸漬した後、乾燥してガス検知素子を製作した。このガス検知素子をプラスチックコートされたカラーチャートの台紙に止め具によって固定し、オゾンガス濃度測定器を作製した。そして、このオゾンガス濃度測定器と乾燥剤のシリカゲルをラミネーテッドジッパー（アルミニウム製の袋）に封入して室温にて１ヶ月保管した結果、色素の退色、色移りは認められなかった。このことから、ガス検知素子の固定手段として止め具が好適であることが確認された。
【００５７】
［実施例２］
インジゴカルミン０．０５ｇ、グリセリン１５ｇ、酢酸３ｇに水を加えて５０ｇの検知溶液とし、その中に濾紙（アドバンティック社製Ｎｏ．２）を所定時間浸漬した後、乾燥してガス検知素子を製作した。このガス検知素子をプラスチックコートされていないカラーチャートの台紙に、厚さ２５μｍのプラスチックフィルムを介して重ね合わせて止め具により固定し、オゾンガス濃度測定器を作製した。そして、このオゾンガス濃度測定器とシリカゲルをラミネーテッドジッパーに封入して室温にて１ヶ月保管した結果、色素の退色、色移りは認められなかった。このことから、ガス検知素子と台紙との間にプラスチックフィルムを介在させることにより、色素やカラーチャートに影響を与えないことが確認された。
【００５８】
［実施例３］
インジゴカルミン０．０５ｇ、グリセリン１５ｇ、酢酸３ｇに水を加えて５０ｇの検知溶液とし、その中に濾紙（アドバンティック社製Ｎｏ．２）を所定時間浸漬した後、乾燥してガス検知素子を製作した。このガス検知素子を表裏面に５μｍのポリプロピレンがラミネートされているカラーチャートの台紙に重ね合わせて止め具５により固定し、オゾンガス濃度測定器を作製した。そして、このオゾンガス濃度測定器とシリカゲルをラミネーテッドジッパーに封入して室温にて１ヶ月保管した結果、色素の退色、色移りは確認されなかった。このことから、ガス検知素子を止め具によってプラスチックコートされた台紙に固定することにより、色素やカラーチャートに影響を与えないことが確認された。
【００５９】
［比較例］
インジゴカルミン０．０５ｇ、グリセリン１５ｇ、酢酸３ｇに水を加えて５０ｇの検知溶液とし、その中に濾紙（アドバンティック社製Ｎｏ．２）を所定時間浸漬した後、乾燥してガス検知素子を製作した。このガス検知素子をカラーチャートの台紙に両面粘着テープによって固定し、オゾンガス濃度測定器を作製した。そして、このオゾンガス濃度測定器とシリカゲルをラミネーテッドジッパーに封入して室温にて１ヶ月保管した結果、色素は著しく退色していた。このことから、ガス検知素子の固定手段として両面粘着テープは不適であることが確認された。
また、接着剤を用いた場合も、同様に色素の退色が認められ、不適であることが確認された。
【００６０】
［比較例］
インジゴカルミン０．０５ｇ、グリセリン１５ｇ、クエン酸３ｇに水を加えて５０ｇの検知溶液とし、その中に濾紙（アドバンティック社製Ｎｏ．２）を所定時間浸漬した後、乾燥してガス検知素子を製作した。このガス検知素子をカラーチャートの台紙にプラスチックの分離層を介さずに直接重ね合わせて止め具で固定し、オゾンガス濃度測定器を作製した。そして、このオゾンガス濃度測定器とシリカゲルをラミネーテッドジッパーに封入して室温にて１ヶ月保管した結果、ガス検知素子の色素が台紙のカラーチャートに色移りしていた。
【００６１】
以上の実験結果から、ガス検知素子とプラスチックコートされた台紙を重ね合わせて止め具で固定するか、またはガス検知素子と台紙をプラスチックフィルムを介して重ね合わせて止め具で固定すると、ガス検知素子の色素が退色したりカラーチャートに色移りすることがなく保管することができることが判った。
【００６２】
なお、本発明は上記した実施の形態に何ら限定されるものではなく、種々の変形、変更、組み合わせが可能である。例えば、上記した実施の形態においては、オゾンガスに反応する色素としてインジゴ環を有する色素を用いたが、これに限らずトリフェニルメタン色素やアゾ色素、アントラキン色素等を用いてもよい。
【００６３】
また、上記した実施の形態においては、ガス検知素子を台紙に固定する固定手段として、台紙自体に固定用切り込みを形成するかまたは台紙自体に袋状部分を設けて台紙自体に固定手段を兼用させた例と、別部材からなる固定手段としてプラスチック製の止め具５を用いた例を示したが、本発明はこれらに何ら特定されるものではなく、長期間保管しておいても色素が退色したりカラーチャートに色移りしないものであれば何でもよく、要は非接着性、非粘着性、非吸水性さらに好ましくは錆ない材料からなるものであればよい。
【００６４】
また、図５に示した実施の形態において、台紙４３に描かれている二重円は、普通の円を１２０度ずつ３等分してそこに色を塗ったものでもよい。
【００６５】
また、図６に示した実施の形態において、ガス検知素子５１に設けられている曝露部６は円形でなくても、窓５５より大きい面積であればどのような形状でもよい。
【００６６】
さらに、上記した実施の形態は、いずれもオゾンガス濃度測定器に適用した例について説明したが、これに何ら特定されるものではなく、例えば検知剤として二酸化窒素ガス（ＮＯ2 ）に反応するジアゾ化試薬およびカップリング試薬の混合物等を多孔体に含浸させたガス検知素子を用いた場合には、二酸化窒素ガス濃度測定器にも適用することが可能である。
【図面の簡単な説明】
【００６７】
【図１】（ａ）、（ｂ）は本発明をオゾンガス濃度測定器に適用した第１の実施の形態を示す斜視図および止め具の正面図である。
【図２】本発明をオゾンガス濃度測定器に適用した第２の実施の形態を示す斜視図である。
【図３】本発明をオゾンガス濃度測定器に適用した第３の実施の形態を示す斜視図である。
【図４】本発明をオゾンガス濃度測定器に適用した第４の実施の形態を示す斜視図である。
【図５】本発明をオゾンガス濃度測定器に適用した第５の実施の形態を示す正面図である。
【図６】本発明をオゾンガス濃度測定器に適用した第６の実施の形態を示す正面図である。
【図７】本発明をオゾンガス濃度測定器に適用した第７の実施の形態を示す組立前の図である。
【図８】同測定器の組立後の背面図である。
【符号の説明】
【００６８】
１…オゾンガス濃度測定器、２…ガス検知素子、３…台紙、４…ガス濃度測定用シート、５…固定手段（止め具）、６…曝露部、８…カラーチャート、１０…オゾンガス濃度測定器、１１…カラーチャート、１２…プラスチック板、２０…オゾンガス濃度測定器、２１…固定用切り込み、３０…オゾンガス濃度測定器、３３…ガス検知素子、３４…台紙、３５…窓、４０…オゾンガス濃度測定器、４１…ガス検知素子、４２…カラーチャート、４３…台紙、５０…オゾンガス濃度測定器、５１…ガス検知素子、５２…台紙、５５…窓、５６…カラーチャート、６０…オゾンガス濃度測定器、６５…ポケット。
【図１】
2008058058.tif 000003
【図２】
2008058058.tif 000004
【図３】
2008058058.tif 000005
【図４】
2008058058.tif 000006
【図５】
2008058058.tif 000007
【図６】
2008058058.tif 000008
【図７】
2008058058.tif 000009
【図８】
2008058058.tif 000010